(57)【特許請求の範囲】
【請求項１】
多角形の表示板と、該表示板の角部各々に取り付けられた自発光器とを備えた自発光式道路標識板であって、前記自発光器は、筐体内に基板に発光ダイオードが三体以上集約されて形成された発光体群が設けられ、更に該筐体内に、太陽電池と、前記太陽電池により生起された電力を蓄電する蓄電手段と、前記発光体群を点滅又は点灯させる制御手段とが設けられると共に、筐体の下方には取付部が設けられ、該取付部を介して、前記自発光器が前記表示板の隅部各々の端縁に個々に取り付けられていることを特徴とする自発光式道路標識板。
【請求項２】
表示板を備えた道路標識の前記表示板の外周縁を囲むように取り付けられることで、該表示板の隅部各々に発光体を配置することのできる自発光装置であって、前記自発光装置は、太陽電池と、前記太陽電池により生起された電力を蓄電する蓄電手段と、発光ダイオードと、前記発光ダイオードを点滅又は点灯させる制御手段と、前記太陽電池、前記蓄電手段、前記発光ダイオード及び前記制御手段を収納した枠体とを備え、前記枠体はその角部各々に、前記発光ダイオードが三体以上集約されて発光体群が設けられると共に、前記枠体は取り付けの対象となる多角形の表示板の外周縁と相似形となされ、該枠体を前記表示板の外周縁を囲むように取り付けることで、該表示板の隅部各々に発光体を配置することのできるようになされたことを特徴とする自発光装置。
【発明の詳細な説明】
【技術分野】
【０００１】
本発明は、表示板の周縁に発光体を配置して存在喚起を高めるようにした自発光式道路標識板及びそれに用いる自発光装置に関するものである。
【背景技術】
【０００２】
表示板の周縁に発光体を配置し、夜間において存在喚起を高めるようにした自発光式道路標識板としては、例えば筐体内の透過性を有する合成樹脂内に、筐体周囲の全周に亘ってランプを配設することで、遠くからでも標識を認識しやすくしている標識板が開示されている（例えば特許文献１）。
【０００３】
【特許文献１】特開平１０−３３１１１８号公報
【発明の開示】
【発明が解決しようとする課題】
【０００４】
しかしながら、特許文献１に記載のような自発光式道路標識板では、表示板の周縁の全周に亘って発光体が配置されていることから、発光輝度が分散することで雨天時や霧の発生時等の視程不良時において、発光体が視認し辛くなって表示板が認識されにくくなる恐れがあった。しかし、発光体の輝度を高めて高い存在喚起を図ろうとして高輝度発光ダイオード等を用いて発光体自体の輝度を高めようとすると、発光に関わるエネルギーが大幅に増大し、太陽電池のみによって発光させる場合に太陽電池セルの面積や蓄電手段の増大に繋がり、コスト高や環境負荷の増大等のデメリットが生じる恐れがあった。
【０００５】
本発明は上記の如き課題に鑑みてなされたものであり、発光に関わるエネルギーを大幅に増大させることなく、視程不良時でも高い存在喚起を得ることができる自発光式道路標識板、及びそれに用いる自発光装置を提供せんとするものである。
【課題を解決するための手段】
【０００６】
上記目的を達成するため、本発明は以下のような構成としている。すなわち、本発明に係わる自発光式道路標識板は、多角形の表示板と、該表示板の隅部各々に取り付けられた自発光器とを備えた自発光式道路標識板であって、前記自発光器は、筐体内に基板に発光ダイオードが三体以上集約されて形成された発光体群が設けられ、更に該筐体内に、太陽電池と、前記太陽電池により生起された電力を蓄電する蓄電手段と、前記発光体群を点滅又は点灯させる制御手段とが設けられると共に、筐体の下方には取付部が設けられ、該取付部を介して、前記自発光器が前記表示板の隅部各々の端縁に個々に取り付けられていることを特徴とするものである。
【０００７】
本発明に係わる自発光式道路標識板によれば、発光ダイオードが三体以上集約されて発光体群となされることで発光輝度を高めることができ、発光ダイオード自体の輝度を高める等して発光に関わるエネルギーを大幅に増大させる必要なく、視程不良時でも高い存在喚起を得ることができる。また表示板の隅部各々の近傍に発光体群を配置していることで、発光体群を結んだ多角形が印象付けられて表示板の形状を認識させ、表示板の種類を大凡把握させて存在喚起の効果を更に高めることができる。
【０００８】
また本発明に係わる自発光装置は、表示板を備えた道路標識の前記表示板の外周縁を囲むように取り付けられることで、該表示板の隅部各々に発光体を配置することのできる自発光装置であって、前記自発光装置は、太陽電池と、前記太陽電池により生起された電力を蓄電する蓄電手段と、発光ダイオードと、前記発光ダイオードを点滅又は点灯させる制御手段と、前記太陽電池、前記蓄電手段、前記発光ダイオード及び前記制御手段を収納した枠体とを備え、前記枠体はその角部各々に、前記発光ダイオードが三体以上集約されて発光体群が設けられると共に、前記枠体は取り付けの対象となる多角形の表示板の外周縁と相似形となされ、該枠体を前記表示板の外周縁を囲むように取り付けることで、該表示板の隅部各々に発光体を配置することのできるようになされたことを特徴とするものである。
【０００９】
本発明に係わる自発光装置によれば、枠体を表示板に取り付けるのみで、既存の表示板の存在喚起を容易に高めることができるが、枠体に設けられた発光ダイオードが三体以上集約されて発光体群となされることで発光輝度を高めることができ、発光ダイオード自体の輝度を高める等して発光に関わるエネルギーを大幅に増大させる必要なく、視程不良時でも高い存在喚起を得ることができる。また表示板の隅部各々の近傍に発光体群を配置していることで、発光体群を結んだ多角形が印象付けられて表示板の形状を認識させ、表示板の種類を大凡把握させて存在喚起の効果を更に高めることができる。
【発明の効果】
【００１０】
本発明に係わる自発光式道路標識板によれば、発光ダイオードが三体以上集約されて発光体群となされることで発光輝度を高めることができ、発光ダイオード自体の輝度を高める等して発光に関わるエネルギーを大幅に増大させる必要なく、視程不良時でも高い存在喚起を得ることができる。また表示板の隅部各々の近傍に発光体群を配置していることで、発光体群を結んだ多角形が印象付けられて標識の形状を認識させ、標識の種類を大凡把握させて存在喚起の効果を更に高めることができる。
【００１１】
また本発明に係わる自発光装置によれば、枠体を表示板に取り付けるのみで、既存の表示板の存在喚起を容易に高めることができるが、枠体に設けられた発光ダイオードが三体以上集約されて発光体群となされることで発光輝度を高めることができ、発光ダイオード自体の輝度を高める等して発光に関わるエネルギーを大幅に増大させる必要なく、視程不良時でも高い存在喚起を得ることができる。また表示板の隅部各々の近傍に発光体群を配置していることで、発光体群を結んだ多角形が印象付けられて表示板の形状を認識させ、表示板の種類を大凡把握させて存在喚起の効果を更に高めることができる。
【発明を実施するための最良の形態】
【００１２】
本発明に係わる最良の実施の形態について、図面に基づき以下に具体的に説明する。
【００１３】
図１は、本発明に係わる自発光式道路標識板の、実施の一形態を示す斜視図である。道路標識２は、表示板２１が支柱２２に取付金具２３により取り付けられて形成されたものであり、表示板２１は逆三角形の板状体で「止まれ」を表示するものである。表示板２１の、逆三角形の隅部６には、各々自発光器Ｌが取り付けられている。自発光器Ｌには、表示板２１と正対する方向に対して光を発光するように発光ダイオード１１が五体取り付けられて発光体群１が形成されている。自発光器Ｌには、それぞれ太陽電池３が設けられ、太陽光が照射されることで生起される電力のみを用いて発光ダイオード１１が点滅するようになされている。
【００１４】
図２は、自発光器Ｌ付近の詳細を示す縦断面図である。自発光器Ｌは筐体Ｌ１内に基板１２に発光ダイオード１１が複数取り付けられて発光体群１が形成され、更に筐体Ｌ１内には、上方に封止材３２により封止された太陽電池セル３１と、制御装置４と、鉛蓄電池である蓄電手段５とが、ケーブルＣにより電気的に接続されて設けられており、太陽電池セル３１に太陽光が照射されることで生起された電力は、制御装置４を通じて蓄電手段５に蓄電される。ここで太陽電池セル３１により生起される電力の電圧は制御装置４により検知され、制御装置４において周囲が発光ダイオード１１を発光する必要のある暗さになったときの電圧値をしきい値として設定しておき、その電圧がしきい値以上の場合は蓄電手段５への蓄電を行い、しきい値以下となった場合には蓄電を停止し、蓄電手段５から基板１２を通じて発光ダイオード１１に電力が供給され発光体群１が発光されるようになされる。ここで電力の供給は断続的に行われることで発光体群１は点滅して発光するようになされる。筐体Ｌ１の下方には取付部Ｌ２が設けられ、取付部Ｌ２及びボルトＬ３を用いて、自発光器Ｌが表示板２１の端縁に取り付けられている。
【００１５】
各々の自発光器Ｌは同時点滅させることが好ましく、同時に点滅することで発光体群１を結んだ多角形がより強く印象づけられて、標識の種類を把握させる効果を高めることができる。自発光器Ｌを同時点滅させるには、自発光器Ｌ間にケーブルを接続し有線にて信号を断続的に一定間隔で送信することで点滅させるようにしたり、各々の自発光器Ｌに受信機を取り付けておき、電波による信号を受信することで同時点滅するようにしたりしてもよい。電波による信号は、親機を設けておいて発信するようにしてもよく、受信機がＦＭ波やＧＰＳ電波、ＪＪＹ電波等から一定周期の信号を抽出して発光するようにしておいてもよい。
【００１６】
図３は、発光体群１における発光ダイオードの配置の例を示す正面図である。（ａ）の如く、同心円上に五体の発光ダイオード１１を等間隔に配置したり、（ｂ）の如く、同心円を更に小さいものとして五体の発光ダイオード１１を配置したり、（ｃ）に示す如く同心円を二重として各々の同心円上にそれぞれ五体の発光ダイオード１１を配置したりして発光体群１が形成されている。（ａ）は、ある程度の面積を発光させて発光体群１の存在を喚起する場合に好適であり、（ｂ）は単位面積当たりの発光輝度を高めることで、視程不良時の視認性を高めたい場合に好適であり、（ｃ）は発光体群１における発光ダイオード１１の数を増やして発光輝度を高めることで大型の表示板２１に対して好適に用いることができると共に、同心円が二重となっていることで発光体群１の発光時の印象がより強められて存在喚起を高めることに繋げることができるものである。
【００１７】
発光体群１は、図１に示す如く表示板２１の隅部６より外側に設けてもよく、図４に示す如く表示板２１の隅部６より内側に設けてもよい。（ａ）は表示板２１の隅部６近傍の前面側に自発光器Ｌを取り付けたもので、（ｂ）は表示板２１に孔等を空けることで、背面側に取り付けた自発光器Ｌの発光ダイオード１１からの光が前面側に出射されるようにしたものである。
【００１８】
適用される表示板２１は、逆三角形の「止まれ」を示す標識のみならず、図５に示す如き表示板を備えた道路標識に対しても好適に用いることができる。（ａ）は踏切警告を行うもので、方形の表示板２１が菱形状に配置されたもので、警戒標識はかかる形状にて表示されるものが多く、表示板２１の隅部６近傍に発光体群１を配置することで、各々の発光体群１を結んだ形状が印象づけられて警戒標識の存在喚起が高い効果で行われる。（ｂ）は県道を表示するものであり、正六角形の表示板２１を備えたものであるが、各々の隅部６近傍に発光体群１を配置することで六角形の標識の存在喚起が行われる。更に（ｃ）は五角形の逆ホームベース形状の横断歩道標識であるが、この各々の隅部６近傍に発光体群１を配置することで、横断歩道標識の存在喚起が行われ、ひいては横断歩道の存在が車両の運転者等に喚起されやすくなり得る。
【００１９】
これら（ａ）〜（ｃ）の道路標識は、表示板２１の隅部６各々の近傍に発光体群１を配置することで、発光体群１を結んだ多角形が印象付けられて表示板２１の形状を認識させられ、表示板２１の種類を大凡把握させて存在喚起の効果を更に高めることができることから、これら（ａ）〜（ｃ）の道路標識の如く、それぞれ隅部６間がほぼ直線となされたものに好適に適用することができる。
【００２０】
発光体群１は、発光ダイオード１１が三体以上集約されて設けられていればよく、その配置も上述の実施形態に限定されるものではないが、好ましくは五体以上の発光ダイオードを集約して形成することで、隅部６近傍を強調して高い存在喚起の効果を得ることができるようになる。
【００２１】
図６は、本発明に係わる自発光装置が取り付けられた、自発光式道路標識板を示す斜視図である。自発光装置１０は、取り付けの対象となる逆三角形の「止まれ」標識の表示板２１の外周縁と相似形となされた枠体１０１を備え、枠体１０１内に太陽電池３と、蓄電手段及び制御手段（図示せず）が収納され、枠体１０１の角部１０２の各々前面側には、発光ダイオード１１が五体集約されて配置された発光体群１が設けられている。枠体１０１が表示板２１の外周縁を囲むように取り付けられることで、本発明に係わる自発光式道路標識板が形成されている。尚、発光体群１の発光等の動作機構は、図１に示した実施形態と同じであるために説明は省略する。
【００２２】
図７は、自発光装置１０単体を示すもので、（ａ）は前面側からの斜視図、（ｂ）は背面側からの斜視図である。まず（ａ）において、自発光装置１０の枠体１０１は逆三角形となされてその内側が中空となされていることで表示板２１がその中空部分に嵌め込まれるようになされており、枠体１０１が連続していることで、枠体１０１自体の強度が高められると共に、枠体１０１内に蓄電手段や制御手段（図示せず）を任意の場所に収納することができたり、角部１０２の各々に設けられた発光体群１を同時発光させるための配線や太陽電池と制御手段との間等を結ぶ配線を容易に設けたりできるようになされている。
【００２３】
次に（ｂ）において、枠体１０１の背面側に枠体１０１間を水平方向に差し渡して取付用部材１０３が取り付けられている。この取付用部材１０３にボルトＢが挿入され、Ｕバンドである支柱保持部材１０４が表示板２１を取り付けている支柱２２を把持した状態でボルトＢが挿通されてナットＮが緊結されることで、支柱２２に自発光装置１０が取り付けられる。かかる方法での取り付けが可能となされていることで、既存の道路標識に対しても背面側から枠体１０１を表示板２１の外周縁に配置し、取付用部材１０３と支柱保持部材１０４とをボルト止めすることで容易に適用することができる。
【図面の簡単な説明】
【００２４】
【図１】本発明に係わる自発光式道路標識板の、実施の一形態を示す斜視図である。
【図２】図１に示した自発光器の詳細を示す縦断面図である。
【図３】発光体群における発光ダイオードの配置の例を示す正面図である。
【図４】発光体群の配置の他の例を示す正面図である。
【図５】本発明に係わる自発光式道路標識板が適用される表示板の、他の例を示す正面図である。
【図６】本発明に係わる自発光装置の、実施の一形態を示す斜視図である。
【図７】図６における自発光装置の、単体の状態を示す説明図である。
【符号の説明】
【００２５】
１    発光体群
１１  発光ダイオード
２１  表示板
３    太陽電池
４    蓄電手段
５    制御装置
６    隅部
１０  自発光装置
１０１  枠体
１０２  角部
【図１】
0004681995.tif 000002
【図２】
0004681995.tif 000003
【図３】
0004681995.tif 000004
【図４】
0004681995.tif 000005
【図５】
0004681995.tif 000006
【図６】
0004681995.tif 000007
【図７】
0004681995.tif 000008